(57)【要約】【課題】撮像画像を再生の際の画像検索時に、従来のものより使い勝手のよい、撮像装置を提供しようとするものである。【解決手段】被写体撮像画像中の特徴部を認識する特徴部認識手段とを有し、撮像データ記録時に前記特徴部認識手段により認識した特徴部の数をカウントするとともに、得られた特徴部個数を当該撮像データのヘッダ部分に記録する構成とする。また、撮像データ再生時に、撮像データのヘッダ部に記録された、前記特徴部の数を検索条件として検索・表示を可能に構成する。【選択図】図４
2008098987.tif 000002
【特許請求の範囲】
【請求項１】
被写体の撮像手段と、撮像データの記録手段と、記録済みデータの再生手段と、被写体撮像画像中の特徴部を認識する特徴部認識手段とを有し、撮像データ記録時に前記特徴部認識手段により認識した特徴部の数をカウントするとともに、得られた特徴部個数を当該撮像データのヘッダ部分に記録することを特徴とする撮像装置。
【請求項２】
撮像データ再生時に、撮像データのヘッダ部に記録された、前記特徴部の数を検索条件として検索し、表示することを可能に構成したことを特徴とする請求項１に記載の撮像装置。
【請求項３】
前記特徴部を、被写体中の顔の数としたことを特徴とする請求項１または２に記載の撮像装置。
【請求項４】
前記特徴部が、被写体中の眼の組数としたことを特徴とする請求項１または２に記載の撮像装置。
【請求項５】
前記特徴部が、被写体中の人物の顔の数としたことを特徴とする請求項１または２に記載の撮像装置。
【請求項６】
撮像データ再生時に、前記特徴部数が指定された検索条件と一致する画像のみを表示する第１の表示モードと、一致画像優先表示後、特徴部のある画像までを表示する第２の表示モードと、一致画像、特徴部のある画像までを優先表示後、全画像を表示する第３の表示モードとのうち少なくとも２つを備えていることを特徴とする請求項２に記載の撮像装置。
【発明の詳細な説明】
【技術分野】
【０００１】
本発明は、撮影機能付き携帯機器（携帯電話、ＰＤＡ）その他の撮像装置に関し、より詳しくは、撮像された被写体画像の特徴部認識技術、同特徴部を用いる画像検索・再生技術に関する。
【背景技術】
【０００２】
デジタルカメラ等の撮像装置において、大容量の記録媒体が用いられた場合に、再生時に撮影済み画像を検索し、表示する機能が重要になってくる。従来から撮影日や各種ヘッダ情報などにより撮影済み画像を検索し、表示する技術は存在した。これら機能においては、撮影者の心により残りやすい撮影時状況を検索キーにできるかどうかということが非常に重要である。
【０００３】
撮影済み画像の特徴を抽出するための技術のひとつに、撮影画像の人物に着目したものも多い。撮影画像から人の顔を抽出する手法として、原画像から肌色データを抽出し、肌色範囲と判断された測光点のクラスタを顔として認識する方法が知られている。
この方法については特許文献１等に開示されている。また、測光データを色相と彩度に変換し、変換した色相や彩度の二次元ヒストグラムを作成、解析することで、顔領域を認識する方法も特許文献２に開示されている。さらに、特許文献３には人の顔の形状に相当する顔候補領域を抽出し、その領域内の特徴量から、顔領域を決定する技術が開示されている。他にも、画像から人の顔の輪郭を抽出し顔領域を決定したり、複数の顔の形をしたテンプレートを用意し、そのテンプレートとの相関関係を判断することで顔領域を抽出する方法も提案されている。
【０００４】
さらに顔認識や、目の検出については、特許文献４や、特許文献５に詳細に技術や参考資料が紹介されている。この他、特許文献６には、画像中の赤目や金目部分を検出し、検出した箇所数をカウントし、画像中に表示し、見落としを防止するものが開示されている。
【０００５】
【特許文献１】特開昭５２−１５６６２４号公報
【特許文献２】特開平０４−３４６３３３号公報
【特許文献３】特開平０８−０６３５９７号公報
【特許文献４】特開平０９−２５１５３４号公報
【特許文献５】特開平１０−２３２９３４号公報
【特許文献６】特開２００４−２０８２７９号公報
【０００６】
後述の本発明においても、顔検出、人物検出、目検出、人間以外の顔検出を行っているが、この検出過程においては、上述した如き技術の適宜のものを用いることができる。
【発明の開示】
【発明が解決しようとする課題】
【０００７】
上述したような、従来の画像検索技術においては、検索のための要素はあまり強く印象に残らず目的とする画像がスムーズに表示できないことも少なくなかった。
【０００８】
したがって、本発明の撮像装置では、多くの場合に撮影したときの主に対象となる被写体の顔に着目してその数（動物の顔を含む）や、人数を画像の特徴を示すパラメータとして撮影時に画像データに付加し、検索条件とすることで、従来のものより使い勝手のよい、撮像装置を提供しようとするものである。
【課題を解決するための手段】
【０００９】
本発明の撮像装置は、被写体の撮像手段と、撮像データの記録手段と、記録済みデータの再生手段と、被写体撮像画像中の特徴部を認識する特徴部認識手段とを有し、撮像データ記録時に前記特徴部認識手段により認識した特徴部の数をカウントするとともに、得られた特徴部個数を当該撮像データのヘッダ部分に記録することを特徴とする。また、撮像データ再生時に、撮像データのヘッダ部に記録された、前記特徴部の数を検索条件として検索し、表示することを可能に構成したことを特徴とする。これにより、再生時に特徴部の個数に関しての検索が可能となり使い勝手が向上する。
【００１０】
上記特徴部には、被写体中の顔の数を用いることができる。認識した顔の数を記録し、検索条件として検索実行可能とすることで意図どおりの適切な検索結果が得られる。或いは、上記特徴部に、被写体中の眼の組数を用いるようにしても良く、同様に意図どおりの適切な検索結果が得ることができる。また、上記特徴部に被写体中の人物の顔の数を用いることもでき、認識した人物の顔の数を記録し、検索条件として検索実行することで同様に意図どおりの検索ができる。
【００１１】
また、本発明の撮像装置は、撮像データ再生時に、前記特徴部数が指定された検索条件と一致する画像のみを表示する第１の表示モードと、一致画像優先表示後、特徴部のある画像までを表示する第２の表示モードと、一致画像、特徴部のある画像までを優先表示後、全画像を表示する第３の表示モードとのうち少なくとも２つを備えていることを特徴とする。検索条件の特徴部数が完全一致したもののみを表示する表示方法、一部一致したものまでを表示する表示方法、優先順位はあるものの全画像を表示する表示方法のいずれかを備えることで、使い勝手を一段と良好にする。
【発明の効果】
【００１２】
本発明に係る撮像装置によれば、撮像画像の特徴部の個数をカウントして当該撮像データのヘッダ部分に記録しておくことで、検索条件設定が適切になり意図した撮像データ（画像）がスムーズに検索・表示されて、使い勝手が大きく向上する。
【発明を実施するための最良の形態】
【００１３】
本発明では、画像の特徴部を利用する技術として、新たに、被写体中の顔、人物の顔の数或いは眼の組数等の、抽出したパターン特徴部の個数をカウントして撮像画像をデータとして記録時に当該撮像データのヘッダ部に特徴部の数（組数）を併せて記録するようにし再生時の検索に利用するようにした。先行技術の中には特徴部をカウントし、モニタ表示する考え方のものはあったが、特徴部の数をデータとして記録してこれを画像検索操作に結びつけるという考え方は従来には見られなかった。人物の顔を認識し、各種処理を行う従来技術はあるが、検索に用いる考え方はなかった。本発明の、従来には見られない、特徴部を個数に集約させ検索用に記録する手法によって、検索条件を思い出し易く設定も容易なものにすることで、使い勝手を大幅に向上させることが可能となる。
【００１４】
〔第１実施形態〕
以下、本発明の実施の形態について、図面に従って詳細に説明する。図1は本発明に係る撮像装置の第１の実施形態を示すブロック図である。図２は顔認識のための事前設定の概念図を、図３は検索後表示のための事前設定の概念図を示している。図４〜図７は本実施形態の動作を示すフローチャートである。
【００１５】
図１において、光学ユニット(100)はレンズ(101)と絞り・シャッタ(102)と光学ローパスフィルタ(103)とＣＣＤ(104)で構成される。光学ユニット(100)に入力された、被写体画像は、ＣＣＤ(104)により電気信号に変換され、画像処理部(200)に入力される。レンズ(101)、絞り(102)などの光学要素、ＣＣＤ(104)は、それぞれ、光学系ドライバ(105)，ＣＣＤドライバ(106)を介して駆動される。画像処理部(200)では、撮像時にはＡＥ処理、ホワイトバランス処理等が行われる。記録画像はＢＵＳライン(201)を介して画像バッファ用メモリ(202)に一時記憶され、ＢＵＳライン(201)、圧縮・伸張処理部(203)、と画像記録I/F部(204)を介して最終的にはメモリカードやHDD等の記録媒体(205)にJPEG画像として保存される。画像処理部(200)では、モニタリング時はＣＣＤ(104)からの入力信号をモニタリング用加工し、画像再生時は記録媒体(101)からの読み出しデータを、圧縮・伸張処理部(203)を介して伸張し、再生用に加工し表示部（ＬＣＤパネル）(206)に出力して表示させる。
【００１６】
画像バッファ部(202)は、画像処理前後のデータを一時保存しておくための部分で、特に連続撮影などの場合に処理が遅い書き込み系の影響をうけ、撮影間隔が延びることが無いように、最高画質で数枚分の画像を一時的に保存する能力を備えたものである。操作部(300)は、レリーズＳＷ、ズームＳＷ、撮影モード設定ＳＷ、メニューＳＷ、検索ＳＷなどを示しており、押し釦タイプ、レバータイプ、ＬＣＤパネルを利用したメニュー表示＆選択＆決定釦による選択タイプなどのあらゆるＳＷタイプをとることができ、入力結果を、制御・演算部に入力することで、制御・演算部に所定の動作を行わせる為のトリガとなる。設定記憶用不揮発性記憶素子を備えた制御演算部(400)は、上述各部を制御する。
【００１７】
本発明の第１実施形態の構成では、前記構成において、事前の設定として、図２、図３の様な流れにて、顔認識設定及び、検索設定を行って設定記憶用不揮発性記憶素子に保持しておくものとする。すなわち、顔認識設定は、通常の撮影前のモニタリングモードからメニュー釦を押して、各種設定項目を読み出し、その中から、顔認識設定項目を表示させる。その後は、図２の（ＤＰ０１）〜（ＤＰ０３）に示した様な流れで各項目の設定を必要に応じて選択していく。本実施形態では、顔認識設定→有り（常時）→顔認識後処理設定→カウント数表示設定→有りを選択、決定しておく。設定後は再びメニュー釦を押して、通常のモニタリングモードに復帰する（ＤＰ０４）。この状態で、顔カウント機能が有効となり、モニタリングしている被写体中の顔部分を認識し、図２の（ＤＰ０５）に示した様に常時(所定間隔毎に)人間の顔と認識した領域とその数の表示を行う。なお、この事前設定において設定した項目は、カメラの電源を切ってもEEPROM等の不揮発性の記憶素子に保存される構成となっている為一度設定を行うことで、以後設定を変更するまでその設定が維持される。後述する画像再生時の検索設定についても全く同様に設定状態が維持される。
【００１８】
続いて、撮像手順について説明する。第１実施形態では、事前に前述した様な事前設定が行われているものとして説明する。撮影モード釦が撮影モードに設定されている状態でカメラが起動（電源ＯＮ）されると、カメラは撮影準備（被写体モニタリング）状態となる。この状態では、撮像を継続し、所定の間隔で液晶モニタを最新画像に入れ替えるが、これと並行して、所定間隔にて人物の顔部分を検出する特徴部抽出処理を行う。
【００１９】
この場合の、撮影画像から人の顔を抽出する手法としては、原画像から肌色データを抽出し、肌色範囲と判断された測光点のクラスタを顔として認識するなど、種々の方法が既に知られている。すなわち、既に挙げたように、この種手法として、特許文献１〜特許文献５に開示の技術がひろく知られている。これら技術については、各特許文献に夫々詳細に技術や参考資料が紹介されているし、本発明では、顔検出、人物検出、目検出や、人間以外の顔検出過程そのものについては、発明の本質とは関係が無いので、ここでの説明は省略する。本発明における顔検出過程には、上述のどの技術を用いてもよいし、例示した以外の適宜の新規な技術を使用してもかまわない。
【００２０】
続いて、本実施形態における特徴抽出動作を図４〜図５に示したフローチャートに沿って説明する。通常の撮影準備状態（被写体のモニタリングモード）において、画像の取り込み（Ｓ１０１）と画像処理が行われ（Ｓ１０２）、モニタ用の間引き処理が行われ（Ｓ１０３）、表示部(206)に画像が表示される（Ｓ１１２）。ここで、常時（顔認識）モードが設定されている場合（Ｓ１０４：ＹＥＳ）には、顔認識処理（Ｓ１０５）と、認識された顔数のカウント（積算）が行われる（Ｓ１０６）。カウント数表示（項目）が、表示有りに設定されている場合には（Ｓ１０７：ＹＥＳ）、撮影画像中の人物の顔領域が検出されると、モニタ表示中に赤枠にて顔領域境界線が表示され、この赤枠の周辺に、随時カウント値（赤枠の数に応じて、カウントされた値）が表示される（Ｓ１０８：顔領域カウント表示合成；図２参照）。このカウント値表示は、枠毎に表示する形態でも、カウント総数を、モニタの端部に表示する形態でもよい。なお、赤枠や、赤枠カウント数は、撮影画像データとしては記録されないが、画像データのヘッダ部に撮影画像に対する人物数カウントデータとして、顔カウント数データが記録される。
【００２１】
モニタリングモードにおけるこの状態でレリーズの押下を監視する（Ｓ１０９）。そして、半押し（一段目ＯＮ）を検知（Ｓ１０９：ＹＥＳ）すると「カウント値（顔数カウント）」を一時記憶し（Ｓ１１０）、図５に示すレリーズ処理へと移行する。一方、レリーズ操作が無ければ（Ｓ１０９：ＮＯ）、一定時間待って（Ｓ１１１）、ステップ；Ｓ１０１に戻る。
【００２２】
レリーズ処理（図５）では、半押し操作に対応して測光処理（Ｓ２０１）、測距処理（Ｓ２０２）を行った後、レンズ繰り出し（Ｓ２０３）を行った後、レリーズの操作を監視する（Ｓ２０４）。
【００２３】
レリーズが半押しのままであれば（Ｓ２０４：ＮＯ）、顔認識サブルーチンを行う（Ｓ３００）。顔認識サブルーチンでは、顔認識（撮影時）設定がされている場合には（Ｓ３０１：ＹＥＳ）、撮影画像を取り込み（Ｓ３０２）、所定の画像処理（Ｓ３０３）を行い、モニタ用の間引き処理が行われる（Ｓ３０４）。また、顔認識処理（Ｓ３０５）と、認識された顔数のカウント（積算）が行われる（Ｓ３０６）。カウント数表示（項目）が、表示有りに設定されている場合には（Ｓ３０７：ＹＥＳ）、前述した（ステップ；Ｓ１０８）と同様に表示部(206)に顔領域カウント表示合成（Ｓ３０８；図２も参照）を行う。これらの処理は、割り込み処理などを用いてレリーズ操作監視動作と並列処理しても良い。
【００２４】
レリーズ操作監視において、そのまま続けてレリーズが押し込まれた場合（２段目ＯＮ）、すなわち撮影が実行された場合には（Ｓ２０４：ＹＥＳ）、撮影画像を取り込み（Ｓ２０５）、シャッタを閉じてレンズを規定位置に戻し（Ｓ２０６）、所定の画像処理（Ｓ２０７）と、画像圧縮処理を行う（Ｓ２０８）。顔認識設定がなされていれば（Ｓ２０９：ＹＥＳ）、ヘッダ部に顔カウントデータを合成して画像データファイルを作成し（Ｓ２１０）、記録媒体に記録する（Ｓ２１２）が、顔認識設定が無ければ、撮像画像データのみのファイル（顔カウントデータ書き込み無し）を作成して（Ｓ２１１）記録媒体に記録する（Ｓ２１２）。ここでは、画像ファイルを、最も一般的に使用されているEXIF 準拠のJPEG画像としてEXIF フォーマットで保存する構成として、EXIFヘッダのうち、メーカ毎に自由に設定が許されている領域(規定のEXIFフォーマットのフリースペース部)に顔カウント数データを記述するものとする。なお、あらたな標準化などにより、メーカ共通の設定領域が設けられればその領域でもよいことは当然である。
【００２５】
このようにして、同様の撮影手順にて１００毎程度が撮影されたとする。被写体人物が、１名のものが１０枚、２名のものが５枚、３名のものが５枚、４名以上のものが２枚あったと仮定する。撮影を終了させると、再生モードに移行する。
【００２６】
撮像済み画像の再生モードでは、表示させたい画像を検索するための（事前の）検索設定（既に設定されている場合には変更設定）が可能である。すなわち、検索設定は、再生モードにおいて、メニュー釦を押して、各種設定項目を読み出し、その中から、検索設定項目を表示させる。その後は、図３に示した様な（ＤＰ１１）〜（ＤＰ１３）の流れで各項目の設定を必要に応じて選択していく。本実施形態では、検索条件選択→顔の数→検索後の再生表示設定→一致画像のみを順に選択し、決定しておく。設定後は再びメニュー釦を押して、通常の再生モードに復帰する。この設定した項目は、カメラの電源を切ってもEEPROM等の不揮発性の記憶素子に保存される構成となっている為一度設定を行うことで、以後設定を変更するまでその設定が維持される。
【００２７】
画像検索に際しては、検索釦を押し、予め設定した検索条件に従い、必要事項を入力し、検索を実行する。図６のフローチャートに画像検索手順を示す。ここでは、設定条件が、人物顔カウントであり（Ｓ４０２：ＹＥＳ）、一致画像のみの検索（Ｓ４０３：ＹＥＳ）なので、検索カウント数の入力が求められ、２名を入力したものとする（Ｓ４０４）。
【００２８】
以降、入力した顔カウント数「２」に基づいた検索が行われる（Ｓ４０５〜Ｓ４０７）。前述したように検索に用いる顔カウント数データは、EXIFヘッダのうちメーカ毎に自由に設定が許されている領域に記述されている。ＣＰＵは、記録媒体に記録されている画像ファイルのヘッダ部に記述されている、顔カウントデータ部を検索して（Ｓ４０６）、一致したファイル群に関する管理情報を作成、保存する（Ｓ４０７）。また、検索を実施した履歴に関する検索実施フラグをセットして（Ｓ４０８）再生モードへ移行する。このフラグに関しては、再生が終了した場合、電源OFFの場合、起動時、別途検索履歴を残すかどうかの設定に合わせてなど、様々なシステムに応じて、リセットする構成とすればよい。
【００２９】
それ以降は、図７のフローチャートに示すように、（Ｓ５０１：ＹＥＳ）、（Ｓ５０２：ＮＯ）であるから、管理情報に基づき画像ファイルがアクセスされ（Ｓ５１７）、一致した最初の画像が表示手段に表示される（Ｓ５１８）。そして、通常の再生と同様に送り、戻し釦が押されると（Ｓ５１９，Ｓ５２０）管理情報データから次の一致ファイルが呼び出され表示手段に表示される（Ｓ５１７，Ｓ５１８）。順次これを繰り返し、管理情報にあるファイル以外がアクセスされないよう一致画像の表示を繰り返す。
【００３０】
管理情報は、一時メモリ（バッファ用メモリなど）に保存しても良いし、不揮発性メモリに記録してもよいし、記録媒体に保存してもよい。また、検索実施経歴を記録し、起動時などに、経歴があれば、再度フイル検索を行い、設定されている検索条件に応じて、再度管理情報を再作成し保存する構成としてもよい。いずれにせよ。ユーザは、自分が設定した条件に応じた検索を一度行えば、以降はその条件に見合ったファイルのみ、表示できることとなり、特に大容量の記録媒体の場合のファイル閲覧に関する使い勝手が向上する。
【００３１】
〔第２実施形態〕
第２の実施形態について説明する。第２実施形態では、図２、図３において、事前に顔認識設定（撮影時）、目（組数）カウント、カウント数表示無し、検索設定有り、目（組数）カウント、あいまい検索を選択しておいたものとして説明する。以下の制御フローの説明には、第１実施形態と同じ、図４〜図７のフローチャートを用いる。
【００３２】
撮影モード釦が撮影モードに設定されている状態でカメラが起動（電源ＯＮ）されると、カメラは撮影準備（被写体モニタリング）状態となる。
【００３３】
この状態では設定条件（撮影時のみとの設定）に伴い、顔検出を行わない。レリーズ釦（半押し）が押されると、ここで簡易的な撮像を行い、目の検出（パターン認識などには前記各特許文献などの技術を用いる）を行う。この場合の顔認識や、目の検出については、先に挙げた特許文献４や、特許文献５に詳細に技術や参考資料が紹介されている。例えば特定間隔にて周辺に白部の有る黒または他の色（ブルー、緑など）の丸い領域をパターン検知する方法などがある。本実施形態における目検出のやり方については、発明の本質とは関係が無いため、どのような先行技術を使用しても良く特別な限定は無い。撮影画像中に目のパターンと認識できるものが検出されると、その組数をカウントし、カウント総数を、一時記憶する。
【００３４】
あとは、前述第１実施形態と略同様に、測光、測距、レンズ駆動などを行い、レリーズ釦が押し込まれる（全押し）されると、撮像を行い、画像処理、圧縮後、前記一時記憶された、目の組総数が、画像データのヘッダ部(EXIF準拠のJPEG画像の場合は、規定のEXIFフォーマットのフリースペース部)に撮影画像に対する目の組数総カウント数データとして記録される。
【００３５】
このように、同様の撮影方法にて１００毎程度撮影されたとする。被写体人物が、１組のものが１０枚、２組のものが５枚、３組のものが５枚、４組以上のものが２枚あったと仮定する。撮影が終了し、再生モードに移行する。
【００３６】
検索釦を押し、予め設定した検索条件に従い、必要事項を入力し、検索を実行する（図６の画像検索手順を示すフローチャート参照）。ここでは、設定条件が、あいまい検索（Ｓ４０３：ＮＯ、Ｓ４１０：ＹＥＳ）で、検索条件が目の組数カウントであるので、検索カウント数の入力が求められ、２組を入力したものとする（Ｓ４１１）。
【００３７】
以降、入力した顔カウント数「２」に基づいた検索が行われる（Ｓ４１２〜Ｓ４１４）。ＣＰＵは、記録媒体に記録されている画像ファイルのヘッダ部に記述されている、顔カウントデータ部を検索し、一致したファイル群に関する管理情報を作成、保存する。また、検索を実施した履歴に関する検索実施フラグをセットする（Ｓ４０８）。このフラグに関しては、再生が終了した場合、電源OFFの場合、起動時、別途検索履歴を残すかどうかの設定に合わせてなど、様々なシステムに応じて、リセットする構成とすればよい。この実施形態においても、画像ファイルを、最も一般的に使用されているEXIFフォーマットに準拠して保存する構成として、EXIFヘッダのうち、メーカ毎に自由に設定が許されている領域に顔カウント数データを記述するものとする（あらたな標準化などにより、メーカ共通の設定領域が設けられればその領域でもよい）。
【００３８】
それ以降は、図７のフローチャートに示すように、（Ｓ５０１：ＹＥＳ）、（Ｓ５０２：ＹＥＳ）、（Ｓ５０３：ＹＥＳ）であるから、管理情報に基づき画像ファイルがアクセスされ（Ｓ５０４）、一致した最初の画像が表示手段に表示される（Ｓ５０５）。そして、通常の再生と同様に、送り、戻し釦が押されると（Ｓ５１３，Ｓ５１４）管理情報データから次の一致ファイルが呼び出され表示手段に表示される（Ｓ５０４，Ｓ５０５）。一致ファイルが終了すると（Ｓ５０６：ＹＥＳ）検索条件該当設定が、あいまい設定なので、検索条件に近いファイル（本実施形態では目の組数が１組の画像を続いて表示し（Ｓ５０７〜Ｓ５１１）、終了後３組のものを表示し（Ｓ５０７〜Ｓ５１１）、その後４組以上のものが表示される（Ｓ５０７〜Ｓ５１１）。検索された全ての該当ファイルが表示されると（Ｓ５０９：ＹＥＳ）、その後は、２組の画像（検索後最初に表示された画像）の表示に戻り、以下は繰り返す。一致のみの検索と異なるのは、目が発見された画像ファイルまで、広げて表示することであり、全ファイル表示とも異なることである。
【００３９】
管理情報は、一時メモリ（バッファ用メモリなど）に保存しても良いし、不揮発性メモリに記録してもよいし、記録媒体に保存してもよい。また、検索実施経歴を記録し、起動時などに、経歴があれば、再度フイル検索を行い、設定されている検索条件に応じて、再度管理情報を再作成し保存する構成としてもよい。いずれにせよ。ユーザは、自分が設定した条件に応じた検索を一度行えば、以降はその条件に見合ったファイルのみ、表示できることとなり、特に大容量の記録媒体の場合のファイル閲覧に関する使い勝手が向上する。
【００４０】
本発明は、上述した実施形態に限定されない。例えば、人物以外の顔認識機能、目の組数カウントなどを利用することにより、自分とペットが写っている画像の検索が容易となる（これは、顔の数や、目の組数検索で、２を指定することにより実行可能）。また、人物以外の顔認識機能に関しては、顔色に関して、肌色以外も許可する様な設定など種種の方法による認識方法が考えられるし、目の組数検出は、人間とほぼ同じ方法で認識が可能である。
【図面の簡単な説明】
【００４１】
【図１】本発明に係る撮像装置の構成を示すブロック図である。
【図２】顔認識のための事前設定の概念図である。
【図３】検索後表示のための事前設定の概念図である
【図４】実施形態の撮像動作を示すフローチャートである。
【図５】実施形態の撮像動作を示すフローチャート（２）である。
【図６】実施形態の検索動作を示すフローチャートである。
【図７】実施形態の再生動作を示すフローチャートである。
【符号の説明】
【００４２】
(100) …光学ユニット
(101) …レンズ
(102) …絞り・シャッタ
(103) …光学ローパスフィルタ
(104) …ＣＣＤ
(105) …光学系ドライバ
(106) …ＣＣＤドライバ
(200) …画像処理部
(201) …ＢＵＳライン
(202) …画像バッファ用メモリ
(203) …圧縮・伸張処理部
(204) …画像記録I/F部
(205) …メモリカードやＨＤＤ等の記録媒体
(206) …表示部（ＬＣＤパネル）
(300) …操作部
(400) …制御演算部
【図１】
2008098987.tif 000003
【図２】
2008098987.tif 000004
【図３】
2008098987.tif 000005
【図４】
2008098987.tif 000006
【図５】
2008098987.tif 000007
【図６】
2008098987.tif 000008
【図７】
2008098987.tif 000009